(57)【要約】【課題】球通路を移動するパチンコ球を直接利用して導通させることで報知手段を点灯させ、パチンコ球の移動態様を確実に遊技者に報知することができるパチンコ遊技機を提供する。【解決手段】パチンコ球が少なくとも二点で接触しながら移動する球通路２７を有し、前記球通路２７のパチンコ球が接触する部位に導電性部材１６，２５を対となるように設けると共に、パチンコ球が前記導電性部材１６，２５に同時に接触することで導通し点灯する報知手段２６を前記球通路２７近傍に設けた。【選択図】図３
2005349115.tif 000002
【特許請求の範囲】
【請求項１】
パチンコ球が少なくとも二点で接触しながら移動する球通路を有し、前記球通路のパチンコ球が接触する部位に導電性部材を対となるように設けると共に、パチンコ球が前記導電性部材に同時に接触することで導通し点灯する報知手段を前記球通路近傍に設けたことを特徴とするパチンコ遊技機。
【請求項２】
前記導電性部材をパチンコ球の移動方向に沿って所定の長さを有して設けたことを特徴とする請求項１記載のパチンコ遊技機。
【請求項３】
前記導電性部材の少なくとも一方の導電性部材をパチンコ球の移動方向に所定間隔を隔てて複数設けたことを特徴とする請求項１又は２記載のパチンコ遊技機。
【請求項４】
前記球通路は螺旋状通路であり該螺旋状通路の外周壁内面に前記導電性部材を設けたことを特徴とする請求項１乃至３のいずれかに記載のパチンコ遊技機。
【請求項５】
前記球通路をパチンコ球が開口端で支持される溝状に形成し、前記開口端に前記導電性部材を設けたことを特徴とする請求項１乃至４のいずれかに記載のパチンコ遊技機。
【発明の詳細な説明】
【技術分野】
【０００１】
本発明は、パチンコ遊技機に関するものであり、特に球通路のパチンコ球の移動態様を遊技者に報知するようにしたパチンコ遊技機に関するものである。
【背景技術】
【０００２】
一般に、パチンコ遊技機の多くは、種々の数字，文字，図柄等の表示記号を変動表示する表示器を有する表示装置が遊技領域のほぼ中央に設けられている。そして、その表示装置の周囲に所謂ワープ通路が設けられ、所定のワープ入口から入球したパチンコ球を、ワープ通路を介してワープ出口から変動表示器の下方に設けられるステージに導き遊動させるようにしたものが主流となっている（例えば、特許文献１参照。）。
【０００３】
また、遊技者の興趣を喚起させるために、発射レールからガイドレールを介して打ち込まれたパチンコ球の予想軌道を、発光素子の発光状態により遊技者に報知するようにしたパチンコ遊技機が提案されている（例えば、特許文献２参照。）。
【特許文献１】特開平１０−２７７２２１号公報
【特許文献２】特開２００３−５２９１９号公報
【発明の開示】
【発明が解決しようとする課題】
【０００４】
特許文献１に記載のパチンコ遊技機のように、ワープ通路によりパチンコ球をステージに導くことは、ワープ入口から入球したパチンコ球が遊技者の視界から突然消えて、所定のワープ出口から突然現れることになるため意外性があり、最初は遊技者も興味を示していた。ところが、ワープ入口から入球したパチンコ球が途中で遊技者の視界から消えても、パチンコ球は常に同じタイミングでワープ出口から排出され、しかもパチンコ球の移動態様を視認して楽しむことができないため、すぐに遊技者に飽きられるという問題があった。また、遊技者の中にはワープ入口に入球したパチンコ球がワープ出口から排出されるまで視認できないため、ワープ出口からパチンコ球が排出されたのに気付かず、パチンコ球が途中で紛失したと勘違いすることにより、苦情が発生することがあった。
【０００５】
また、特許文献２に開示されているパチンコ遊技機は、発射モータの駆動信号によりＬＥＤを点灯制御して、パチンコ球の予想軌道をＬＥＤの点灯により報知させるものです。そのため、ＬＥＤの発光態様は常に一定であり、必ずしも実際のパチンコ球の移動態様と合致するものではありません。つまり、パチンコ球がファール球となってファール球回収樋に回収されても、ＬＥＤの発光態様はパチンコ球が恰も遊技盤面に打ち込まれたかのような発光態様となり、単にパチンコ球の移動方向を示すものでしかありません。したがって、遊技者にとって発光態様は周囲の装飾ランプと何等変わりなく点灯するだけのように受け取られ、遊技者の満足を得られるものとはなっていません。しかも、ＬＥＤを点灯させるために、パチンコ球を検出する発射スイッチ及びＬＥＤを点灯制御する複雑な制御基板を必要とするため、コストが高くなるという問題がある。
【０００６】
そこで、本発明は上記課題を解決すべくしてなされたもので、その目的は球通路を移動するパチンコ球を直接利用して導通させることで報知手段を点灯させ、パチンコ球の移動態様を確実に遊技者に報知することができるパチンコ遊技機を提供しようとするものである。
【課題を解決するための手段】
【０００７】
かかる目的を達成するため、請求項１記載の発明は、パチンコ球が少なくとも二点で接触しながら移動する球通路を有し、前記球通路のパチンコ球が接触する部位に導電性部材を対となるように設けると共に、パチンコ球が前記導電性部材に同時に接触することで導通し点灯する報知手段を前記球通路近傍に設けたことを特徴とする。ここでいう「導電性部材」とは、鉄，銅等の金属により成形されたものに限定されることなく、金属粉末等を混練した導電性を有する合成樹脂により成形されたものであってもよい。また、ここでいう「近傍」とは、球通路の範囲以内又は球通路に沿って設けることを意味する。
【０００８】
請求項２記載の発明は、請求項１記載の発明において、前記導電性部材をパチンコ球の移動方向に沿って所定の長さを有して設けたことを特徴とする。
【０００９】
請求項３記載の発明は、請求項１又は２記載の発明において、前記導電性部材の少なくとも一方の導電性部材をパチンコ球の移動方向に所定間隔を隔てて複数設けたことを特徴とする。
【００１０】
請求項４記載の発明は、請求項１乃至３のいずれかに記載の発明において、前記球通路は螺旋状通路であり該螺旋状通路の外周壁内面に前記導電性部材を設けたことを特徴とする。前記球通路は、２条の螺旋状流路を一つの竪筒面内にて互いに交絡するように形成するようにしてもよい。
【００１１】
請求項５記載の発明は、請求項１乃至４記載の発明において、前記球通路をパチンコ球が開口端で支持される溝状に形成し、前記開口端に前記導電性部材を設けたことを特徴とする。
【００１２】
前記報知手段は、ランプ，ＬＥＤ等の光素子である。なお、前記ランプ，ＬＥＤ等の光素子は異なる色彩を発色し得るものが好ましく、または異なる色彩を発色する複数の光源を配設するのがよい。
【００１３】
前記球通路は、発射レールから打ち込まれたパチンコ球が、ガイドレールによって遊技領域に導かれる誘導通路である。誘導通路は、ガイドレールを導電性部材で形成すると共に、遊技盤面側の通路部に導電性部材をガイドレールと対となるように所定間隔を隔てて配設し、パチンコ球が導電性部材とガイドレールとに同時に接触することで導通して点灯する報知手段を、導電性部材に対応してガイドレールの外方に沿って設けるようにしてもよい。前記報知手段はガイドレールに沿って設けられる飾り部材に設けるのが好ましい。
【００１４】
前記球通路は、球通路の底壁をいずれか一方の側壁に向かって下傾させ、底壁及び底壁を下傾させた側の側壁にパチンコ球が同時に接触し得る部位に対となるように導電性部材を配設し、パチンコ球が導電性部材に同時に接触することで導通し点灯する報知手段を設けるようにしてもよい。このとき、底壁又は側壁を導電性素材で形成するようにしてもよい。
【００１５】
前記球通路の一側に臨ませて導電性を有する素材により形成した回転体又は弾性片をパチンコ球が接触し得るように設け、前記回転体又は弾性片と相対する側面であり、パチンコ球が同時に接触する位置に対の電極となるように導電性部材を設け、前記球通路をパチンコ球が通過する際に、パチンコ球が導電性部材に同時に接触することにより導通して点灯する報知手段を設けるようにしてもよい。
【発明の効果】
【００１６】
本願発明によれば、パチンコ球の球通路に対となるように導電性部材を設け、パチンコ球が前記導電性部材に同時に接触することで点灯する報知手段を設けるようにしたので、パチンコ球の実際の移動態様をリアルタイムで遊技者に報知することができる。そのため、遊技者の興趣を強く惹きつけることができ、遊技の不安を解消し、遊技者は遊技の面白味を充分満喫することができる。
【実施例１】
【００１７】
以下に本発明の一実施例を図面と共に説明する。図１はパチンコ遊技機の正面図である。パチンコ遊技機は機枠１の前面に前面枠２が開閉自在に装着され、前記前面枠２には取付枠を介して遊技盤４が着脱自在に装着されている。前記前面枠２の前面に前記遊技盤４が臨む透明板扉枠５と前面に打球供給皿６を装着した前板７とがそれぞれ開閉自在に蝶着されている。また、打球供給皿６の下方には該打球供給皿６の余剰球を貯留する余剰球受皿８が設けられ、その側方に打球発射用の操作ハンドル９が配設されている。
【００１８】
前記取付枠の下方前面には、発射レール１０及びファール球回収樋１１が設けられている。また、前記打球供給皿６は、図示しない球払出装置から払出された遊技球を整流路１２で整列して、打球供給装置を介して発射装置１３の打球杆１３ａ等の回動に連動して発射レール１０に打球を供給するようにしている。そして、打球供給皿６の整流路１２には、図２に示すようにパチンコ球の静電気を除去すると共に度重なるパチンコ球の流下により整流路１２が摩耗しないように、導電性を有する金属板１４が所定の長さを有して敷設されている。整流路１２の終端は、パチンコ球を１段に整列させるための球均し部１５により遊技者から視認できないようになっている。
【００１９】
前記遊技盤４の前面には遊技領域４ａを形成するガイドレール１６が敷設され、該ガイドレール１６は内レール１６ａと外レール１６ｂとにより構成されている。そして、内レール１６ａと外レール１６ｂとで発射レール１０からの打球を遊技領域４ａに導く球通路としての誘導通路２７が形成されている。なお、ガイドレール１６の少なくとも外レール１６ｂは電極となり得る導電性を有している。また、遊技領域４ａの略中央に表示装置１７が設けられ、該表示装置１７の直下に可動片を備えたチューリップ型の始動入賞口１８が設けられている。また、遊技領域４ａには一般入賞口１９及び大入賞口２０、さらに打球の流下方向を変える風車２１および障害釘２２を配設すると共に、前記内レール１６ａの内側下端部に前記入賞口１８，１９，２０に入賞しなかったパチンコ球を排出するアウト球排出口２３が設けられている。
【００２０】
前記外レール１６ｂは、図３乃至図５に示すように合成樹脂により成形される飾り部材２４を介して遊技盤４に設けられる。飾り部材２４は、遊技盤４面に当接する基板２４ａに対してほぼ直角に起立した支持壁２４ｂを弧状に設け、その外方に沿ってレンズ状のケース体２４ｃが設けられている。支持壁２４ｂの上端には、外レール１６ｂの上部を挟持するように鉤状の保持部２４ｄが形成されている。そして、導電性を有する帯状金属で形成された外レール１６ｂを保持部２４ｄに挟着させることで、飾り部材２４に外レール１６ｂを装着することができる。また、基板２４ａには、パチンコ球が外レール１６ｂと同時に接触し得る位置であり外レール１６ｂに沿うように、電極となり得る導電性部材としての鉄片２５が所定間隔を隔てて複数設けられている。また、前記鉄片２５と対になるように、報知手段としてのＬＥＤ２６が誘導通路２７の近傍となるように外レール１６ｂに沿ってケース体２４ｃに設けられ、ＬＥＤ２６の端子は前記外レール１６ｂ及び鉄片２５のそれぞれにリード線Ｌ等を介して接続されている。報知手段としてのＬＥＤ２６は、誘導通路２７をパチンコ球が移動する方向とほぼ直交する面内であり、かつパチンコ球が鉄片２５と接触し得る範囲内に設けるのが好ましく、パチンコ球の通過位置を遊技者に明確に示すことができる。また、少なくとも前記基板２４ａの発射レール１０側の端部は、発射レール１０から打ち出されるパチンコ球がスムーズに外レール１６ｂに導かれるようにテーパ状に形成されている。なお、基板２４ａに設けられる鉄片２５は単体で基板２４ａの表面に露呈するように設けるようにしたが、パチンコ球の流動に支障をきたさないように、鉄片２５と基板２４ａの表面とが均一面とするのが好ましい。また、基板２４ａは発射レール１０側の鉄片２５の端部が、パチンコ球の流動に支障をきたさない程度（１ｍｍ以下）に樹脂面より僅かに低くなるように段差を形成し、鉄片２５の端部毎にパチンコ球の移動方向に向かうに従い漸次低くなる段状に形成するようにしてもよい。鉄片２５は、飾り部材２４の成形時に、基板２４ａ上面に所定間隔で露呈するようにインサート成形してもよく、ＬＥＤ２６に接続する端子を成形時に設けることができる。また、鉄片２５は基板２４ａに設けることなく、遊技盤４面に直接設けるようにしてもよい。
【００２１】
前記表示装置１７は、図５に示すように、遊技盤４の表面に取付ける取付基板２８に開口２９が開設され該開口２９に連通した凹室３０を介して、種々の数字，文字，図柄等の表示記号を変動表示し得る液晶ディスプレイ型の表示器３１が設けられる。そして、取付基板２８の上部に内部をパチンコ球が流下し得る厚みを有する装飾部材３２が遊技盤４の前方に突出して設けられ、開口２９の両側にはワープ通路３３が設けられている。また、開口２９の下部にはパチンコ球が遊動するステージ３４が形成され、そのステージ３４の下方にワープ通路３３からのパチンコ球を通過させる球通路としての通過路３５が形成されている。通過路３５は中央に向かって緩やかに下傾するように設けられ、通過路３５の中央部に位置する取付基板２８に放出口３６が開設され、ワープ通路３３からのパチンコ球を遊技盤４面に再度放出するようにしている。
【００２２】
前記装飾部材３２の上面中央及び左右両側には、パチンコ球を装飾部材３２内にパチンコ球を受入れるワープ入口３７ａ，３７ｂが形成されている。そして、装飾部材３２の空間内には、中央ワープ入口３７ａから導入したパチンコ球を側方のワープ通路３３，３３に導く球通路としての誘導路３８が形成されている。誘導路３８は、図５に示すようにほぼ中央を最頂部として両側のワープ通路３３，３３に向かい緩やかに下傾するように設けられ、パチンコ球が少なくとも二点で接触しながら移動するように上方が開口した溝状に形成されている。そして、パチンコ球が二点で接触する部位である開口端は、溝の内方に下傾する面状に形成され、その面状部にそれぞれ導電性部材としてのステンレス板３９を配設している。また、装飾部材３２の前面にステンレス板３９にリード線Ｌ等を介して接続される報知手段としてのＬＥＤ２６が、誘導路３８に沿って遊技者に視認し得るように設けられている。なお、この実施例において、装飾部材３２の前面側に位置するステンレス板３９は誘導路３８に沿って連続的に設けられ、他方の装飾部材３２の後方に位置するステンレス板３９は、所定間隔を隔てて前記ＬＥＤ２６と対となるように複数設けられている。また、ステンレス板３９が設けられた溝状の誘導路３８の前後に位置する底部は、それぞれ溝部に向かって下傾するように形成され、装飾部材３２に導入されたパチンコ球が確実に誘導路３８に導かれて流下するようにしている。なお、装飾部材３２の両サイドのワープ入口３７ｂから入球した打球はそのままワープ通路３３に導かれる。
【００２３】
前記ワープ通路３３は、図７乃至図９に示すように、２条の螺旋状流路３３ａ，３３ｂを円形の一つの竪筒面内にて互いに交絡するように形成している。螺旋状流路３３ａ，３３ｂは、中心軸４１の周囲に２条の螺旋状のリブ４２ａ，４２ｂを形成し、螺旋状リブ４２ａ，４２ｂの外周に外筒体４０を被着することにより形成される。つまり、一方の螺旋状リブ４２ａ（４２ｂ）は一方の螺旋状流路３３ａ（３３ｂ）の底面を構成するとともに、他方の螺旋状流路３３ｂ（３３ａ）の上面を構成することとなる。外筒体４０は、図８に示したように横断面半円形の半割外筒体４０ａと半割外筒体４０ｂとを合着してビスにより固定することにより円形筒状に形成されたものであり、これらの構成部材の内少なくとも前面側の半割外筒体４０ａは、螺旋状流路３３ａ，３３ｂが視認できる透明な合成樹脂により成形している。
【００２４】
また、螺旋状流路３３ａ，３３ｂの上端には、パチンコ球の入口部４３ａ，４３ｂが設けられ、下端側方には図９に示すように螺旋状流路３３ａ，３３ｂの出口部４４ａ，４４ｂが上下に位置して設けられる。なお、入口部４３ａ，４３ｂにはパチンコ球を螺旋状流路３３ａ，３３ｂの流路方向に転向させるためのガイド片を設け、パチンコ球を流路方向にスムーズに流下させるようにするのが好ましい。また、螺旋状流路３３ａ，３３ｂの外周壁内面及び螺旋状リブ４２ａ，４２ｂであり、且つ流下するパチンコ球が接触し得る部位に導電性部材としての金属箔４５を対となるように、パチンコ球の移動方向に所定間隔を隔てて複数設けている。そして、該金属箔４５に対応して取付基板２８に報知手段としてのＬＥＤ２６を設け、パチンコ球が対となるように設けた金属箔４５に同時に接触することで導通し、ＬＥＤ２６を点灯させるようにしている。なお、ＬＥＤ２６は螺旋状流路３３ａ，３３ｂに対応して発光色を変えるようにして、上下どちらの螺旋状流路３３ａ，３３ｂをパチンコ球が流下しているかを遊技者に判りやすくするのが好ましい。また、リブ４２ａ，４２ｂの外周縁部に小突起４６が形成され、該小突起４６を半割外筒体４０ａおよび半割外筒体４０ｂに形成された小孔４７に嵌合させることにより、リブ４２ａ，４２ｂの外周縁が位置決めされ外筒体４０に支持されるようにしている。なお、ワープ通路３３を平面ほぼ真円の螺旋状通路としたが、長円形の螺旋状通路としてもよい。このとき、電極となる対の導電性部材は湾曲部に設けるのが好ましく、湾曲部でパチンコ球の流下速度が減速されるため、直線部に同じ長さの導電性部材を設けるのに比べてＬＥＤ２６の点灯時間を長くすることができ、遊技者に報知する効果を高めることができる。
【００２５】
前記ステージ３４の下方に形成された通過路３５は、図１０に示すように底壁が前面側に下傾してパチンコ球が常に底壁と前面壁を構成する取付基板２８の二点で接触しながら通過路３５を流下するようにしている。また、そのパチンコ球が通過路３５の底壁と取付基板２８の二点で接触し得る部位に導電性部材としてのステンレス板４８が対の第一電極と第二電極となるように設けられる。そして、パチンコ球がステンレス板４８に同時に接触することにより導通して点灯し、パチンコ球の移動位置を遊技者に報知する報知手段のＬＥＤ２６が通過路３５の前面に第一電極と第二電極となるステンレス板４８に対応して設けられている。このため、遊技者が視認できない通過路３５内をパチンコ球が移動するのに伴って、パチンコ球がステンレス板４８に同時に接触することにより導通して順次ＬＥＤ２６を点灯させて、パチンコ球の移動態様を遊技者に報知することができる。また、通過路３５の成形時に、図１１に示すようにいずれか一方の導電性部材をステンレス板４８が樹脂により所定間隔で電極となるステンレス部４８ａが露呈するようにインサート成形してもよい。このように導電性部材をインサート成形すると、ＬＥＤ２６に接続する端子を一箇所に設ければよく、導電性部材を１個ずつ所定間隔毎に設けるのに比して作業性が大幅に向上する。
【００２６】
次に、以上のように構成したパチンコ遊技機の作用について説明する。この実施の形態では、パチンコ球は導電性を有する鉄等により成形されているものとして説明する。操作ハンドル９を操作すると打球供給皿６のパチンコ球が打球供給装置を介して発射レール１０に供給され、打球杆１３ａの打撃によりパチンコ球が遊技盤４に向けて発射される。そして、発射レール１０から遊技盤４に着地して誘導通路２７を外レール１６ｂに沿って遊技領域４ａに導かれる。このとき、パチンコ球は遊技盤４面に取付けた飾り部材２４の基板２４ａと外レール１６ｂの二点で接触しながら誘導通路２７を上動する。このため、基板２４ａに所定間隔隔てて設けられた導電性部材としての鉄片２５と外レール１６ｂにパチンコ球が同時に接触すると導通し、鉄片２５に対応するＬＥＤ２６が点灯する。そして、パチンコ球が外レール１６ｂに沿って上動するに従って順次ＬＥＤ２６の点灯位置も順次上方に移動し、ＬＥＤ２６の点灯により発射レール１０から打ち出されたパチンコ球の移動態様をリアルタイムで遊技者に報知することができる。このように、球通路を移動するパチンコ球を介して報知手段としてのＬＥＤ２６を点灯させるようにしたので、従来のようなパチンコ球の予想軌道ではなく、ファール球となってファール球回収樋１１に回収される際にも発射レール１０に向かってＬＥＤ２６が点灯することになる。したがって、ＬＥＤ２６を点灯制御する複雑な回路及びパチンコ球の検出スイッチ等を必要とすることなく、簡単な構造で遊技者に確実にパチンコ球の移動態様を報知することができる。
【００２７】
そして、遊技領域４ａに導かれたパチンコ球が、表示装置１７の側部ワープ入口３７ｂから装飾部材３２に導かれると、すぐに入口部４３ａからワープ通路３３の上螺旋状通路３３ａに導かれ、螺旋状通路３３ａを回転しながら出口部４４ｂからステージ３４に放出されてステージ３４上を遊動して再度遊技領域４ａに放出される。パチンコ球が上螺旋状通路３３ａを流下する際に、パチンコ球は遠心力により螺旋状リブ４２ａ，４２ｂ及び外筒体４０の外周壁内面に接触しながら流下することになる。このため、所定間隔で対に設けられた金属箔４５にパチンコ球が同時に接触すると、パチンコ球を介して導通し、金属箔４５に対応して設けたＬＥＤ２６が点灯することになり、パチンコ球の移動態様を遊技者に報知することができる。そのため、遊技者は表示器３１の図柄変動に集中しながらも、その視界の端部にＬＥＤ２６の点灯を視認することができ、直接パチンコ球を視認できなくても、ＬＥＤ２６の発光移動によりパチンコ球の移動態様をリアルタイムで確認することがきる。また、遊技領域４ａに打ち込まれたパチンコ球が表示装置１７の中央ワープ入口３７ａから装飾部材３２に入球すると、誘導路３８により右又は左のワープ通路３３に向かって流下する。このとき、遊技者からはパチンコ球が左右のいずれのワープ通路３３に導かれるか視認できないが、パチンコ球が誘導路３８の凹溝の開口部で確実に支持されながら流下することにより、パチンコ球が開口端に設けられたステンレス板３９に同時に接触し導通することにより、報知手段のＬＥＤ２６を点灯させる。このため、パチンコ球の移動に伴って所定間隔毎に設けられたＬＥＤ２６が順次点灯し、遊技者にパチンコ球の移動方向及び移動位置を報知することができる。そして、入口部４３ｂからワープ通路３３の下螺旋状通路３３ｂに導かれると、側部ワープ入口３７ｂにパチンコ球が入球した時と同様に、パチンコ球が螺旋状リブ４２ｂと外筒体４０の内周面に設けられた金属箔４５に同時に接触することにより導通し、金属箔４５と対応するＬＥＤ２６が点灯してパチンコ球の移動態様を遊技者に報知する。螺旋状通路３３ｂを流下したパチンコ球は出口部４４ｂから通過路３５に導かれ、ステンレス板４８に同時に接触することにより導通し、ＬＥＤ２６を点灯させながら通過路３５内のパチンコ球の移動態様を遊技者に報知し、放出口３６から遊技領域４ａに放出される。このとき、放出口３６が始動入賞口１８の直上に位置しているため、放出口３６から放出されるパチンコ球の始動入賞口１８への入賞確率は、出口部４４ａからステージ３４に導かれたパチンコ球が遊技領域４ａに放出されるときよりも高くなる。このように、中央ワープ入口３７ａから入球したパチンコ球は、誘導路３８及びワープ通路３３、そして通過路３５を流下するが、報知手段のＬＥＤ２６の発光によりワープ入口３７ａに入球してから放出口３６から放出されるまでを、リアルタイムで確実に遊技者に報知することができる。なお、導電性部材をパチンコ球の流下方向に長くすることにより、パチンコ球が同時に導電性部材に接触して導通する時間が長くなるため、ＬＥＤ２６の点灯時間を長くすることができ、遊技者に視認し易くすることができる。
【００２８】
このように、パチンコ球が移動する球通路に対の電極となるように導電性部材を設け、パチンコ球が導電性部材に同時に接触することで点灯する報知手段を設けるようにしたので、特にパチンコ球が視認できない個所におけるパチンコ球の実際の移動態様をリアルタイムで遊技者に報知することができる。そして、遊技者の興趣を強く惹きつけることができ、パチンコ球が視界から消える遊技の不安を解消し、遊技者はパチンコ遊技の面白味を充分満喫することができる。また、パチンコ遊技機には多くの樹脂製品があり、パチンコ球はこの樹脂製品と接触して静電気が帯電しやすくなっている。このようにパチンコ球に静電気が帯電すると、静電気の放電による電子部品の誤作動や破損を引起す問題があるが、パチンコ球が導電性部材に接触することで導電性部材がアース部材の役割を果たし、確実に静電気を放電することができる、電子部品の誤作動や破損を未然に防止することができる。
【００２９】
図１２はワープ通路の他の実施例を示している。前記実施例を異なる点は中心軸を螺旋軸４９としている点である。螺旋軸４９は、軸部の外周に突条５０を螺旋状に設けており、螺旋軸４９を金属等の導電性素材により成形している。そして、螺旋軸４９を囲うように円形の外筒体５１を設け、下端部に出口部４４が形成される。このとき、パチンコ球が突条５０の外周端と外周壁内面の二点で確実に接触しながら流下するように、突条５０の外周端と外周壁内面端の最短距離は、パチンコ球の球径より小径に設定される。また、パチンコ球が接触しながら流下する外周壁内面部位に金属箔等の導電性部材５９が所定間隔を隔てて設けられ、該導電性部材５９に対応するように報知手段としてのＬＥＤ２６をリード線を介して螺旋軸４９及び導電性部材５９に接続し、パチンコ球の流下方向に沿って設けている。そして、ワープ通路３３に導かれたパチンコ球は、図１２に示すように突条５０と外筒体５１の外周壁内面の二点に確実に支持されながら流下すると共に、導電性部材５９に接触する毎にＬＥＤ２６を順次点灯させてパチンコ球の流下態様を遊技客に報知することができる。
【００３０】
図１３は、さらにワープ通路の他の実施例を示している。この実施例は、直線状のワープ通路３３の一側に臨ませてパチンコ球が接触し得るように導電性素材により形成した弾性片５２を設け、該弾性片５２と相対する側面に金属片等の導電性部材５３を設けている。そして、ワープ通路３３をパチンコ球が通過する際に、パチンコ球が弾性片５２及び導電性部材５３に同時に接触することにより導通し点灯する報知手段としてのＬＥＤ２６をワープ通路３３に沿って設けている。ワープ通路３３を流下するパチンコ球は、弾性片５２により他側に設けられた導電性部材５３に接触するように導かれ、弾性片５２及び導電性部材５３に同時に接触することによりＬＥＤ２６を点灯させる。したがって、パチンコ球がワープ通路３３を流下するのに伴って、ＬＥＤ２６を順次点灯させパチンコ球の流下態様及び流下位置を遊技者に報知することができる。なお、当然のことながら、弾性片５２はパチンコ球１個の荷重で容易に撓む弾力としている。このように、パチンコ球を弾性片５２に接触させることで、パチンコ球の流下速度が減速され、その分ＬＥＤ２６の点灯時間を長くすることができ、遊技者にパチンコ球の通過態様をより確実に報知する事ができる。
【００３１】
図１４は、さらにワープ通路の他の実施例を示し、前記実施例と異なる点はワープ通路３３を蛇行状とした点と、前記弾性片５２に替えて回転体５４を設けるようにした点である。前記回転体５４は、導電性を有する金属片により形成された複数の羽根５４ａを備えた羽根車を、中空軸５５を回転軸として該中空軸５５に接触しながら回転するように設けられ、中空軸５５に報知手段として発光するＬＥＤ２６が設けられている。ＬＥＤ２６の一方の端子は中空軸５５に接続され、他方の端子は回転体５４の他側に設けられた導電性部材５６に接続されて、回路基板に接続される。なお、回転体５４の羽根５４ａの先端と他側に設けられた導電性部材５６との最短距離は、パチンコ球の球径より小さく設定され、パチンコ球が確実に回転体５４の羽根５４ａ及び導電性部材５６に接触して導通するようにしている。この実施例によれば、ワープ通路３３をパチンコ球が流下すると、パチンコ球が回転体５４の羽根５４ａに接触して回転体５４を回転させながら相対する導電性部材５６に接して流下する。このとき、パチンコ球が回転体５４の羽根５４ａと導電性部材５６に同時に接することで導通し、ランプ回路が閉路されて中空軸５５に設けられたＬＥＤ２６を点灯させる。このように、ワープ通路３３に回転体５４を設けることで、パチンコ球の抵抗となって流下速度が遅くなり、ＬＥＤ２６の点灯時間が長くなり遊技者にＬＥＤ２６の点灯を視認し易くすることができる。なお、ワープ通路３３を蛇行状とし、その湾曲部に導電性部材５６を設けることで、湾曲部でパチンコ球の流速が減速され、ワープ通路３３に回転体５４を設けることと同様に、直線部に導電性部材５６を設けるのに比してＬＥＤ２６の点灯時間を長くすることができる。また、ＬＥＤ２６を回転体５４の回転軸である中空軸５５に設けるようにすることで、新たにＬＥＤ２６を設ける余分なスペースを設けることがないため、ワープ通路３３をコンパクトにすることができる。さらに、回転体５４の表面を鏡面加工することでＬＥＤ２６の光を反射させて発光効果を増大させることができる。なお、ＬＥＤ２６の発光色は、特に限定されるものではなく、同一色であっても順次発光色を変色させるようにしてもよい。
【００３２】
なお、実施例において報知手段としてＬＥＤ２６を発光させるようにしたが、発光素子はＬＥＤ２６に限定されるものではなく、豆球，セグメント表示器，液晶表示器等の発光により遊技者に報知するようにしてもよい。さらに、報知手段として音を付加するようにしてもよく、パチンコ球が対の導電性部材に同時に接触することによりスピーカから音を発するようにすればよい。このときの音は、パチンコ球の移動に従い順次高くなったり低くなったり変化をつけるのが好ましい、また、導電性部材毎に簡単な音階がでるようにして、パチンコ球の移動に伴いメロディを奏でるようにしてもよい。さらに、音声回路を介して合成音により「ガンバッテ」等の音声を発声させるようにしてもよい。
【００３３】
また、実施例において、パチンコ球が球通路を移動するのに伴って、所定間隔を隔てて設けた導電性部材の接触位置により、パチンコ球の移動態様を遊技客に報知するようにしたが、例えば打球供給皿６の整流路１２のようにパチンコ球が連続的に流下する個所であり、遊技者に視認し得ない個所のパチンコ球の有無を遊技者に報知することも可能である。この場合には、導電性部材を特に所定間隔を隔てて設ける必要はなく、パチンコ球が整流路１２に整列された状態でパチンコ球（好ましくは整流路の最先のパチンコ球）が二点で接触する部位に導電性部材を対となるように設ければよい。この導電性部材の少なくとも一方の流下方向の長さは、球径（約１１ｍｍ）より短くするのが好ましい。そして、パチンコ球が導電性部材に同時に接触することで導通し、点灯する報知手段としてのＬＥＤ２６をリ−ド線を介して導電性部材に接続して、パチンコ球の有無を報知するようにしてもよい。具体的には、図２に示すように整流路１２に添設した金属板１４を一方の導電性部材とし、他方の対となる導電性部材としての金属片５８を整流路１２の一側壁となる前板７に設けるようにすればよい。また、このとき球流路１２の底壁（金属板１４）を僅かに前板７側に下傾させるようにして、パチンコ球が確実に前板７の導電性部材と接触するようにするのが好ましい。このように、構成することで打球供給皿６のパチンコ球が整流路１２に整流されるとＬＥＤ２６が点灯し、パチンコ球が整流されてすぐに打球を供給し得る状態にあることを遊技者に報知する。また、遊技中に、整流路１２をパチンコ球が連続して流下すると、金属片５８が球径より短く設定されているため、金属片５８が球心と球心の球間位置となったときに、一旦非接触状態（非導通状態）となってＬＥＤ２６が消灯する。そして、パチンコ球が流れることによって接触状態となり、この非接触状態と接触状態を繰り返すことによりＬＥＤ２６が点滅を繰り返し、パチンコ球が発射レール１０に正常に送り込まれていることを遊技者に報知することができる。
【００３４】
なお、実施例において導電性部材をステンレス等の金属により形成するようにしたが、金属に限定されるものではなく、少なくとも一方の導電性部材を導電性樹脂により形成するようにしてもよい。
【図面の簡単な説明】
【００３５】
【図１】パチンコ遊技機の正面図である。
【図２】打球供給皿の要部斜視図である。
【図３】遊技盤の要部斜視図である。
【図４】ガイドレール部の断面図である。
【図５】表示装置の斜視図である。
【図６】誘導路部の断面図である。
【図７】ワープ通路の側断面図である。
【図８】ワープ通路の平断面図である。
【図９】ワープ通路の要部正面断面図である。
【図１０】通過路部の断面図である。
【図１１】通過路部の他の実施例を示す断面図である。
【図１２】ワープ通路の他の実施例の要部断面図である。
【図１３】ワープ通路の他の実施例の要部断面図である。
【図１４】ワープ通路の他の実施例の要部断面図である。
【符号の説明】
【００３６】
１２                整流路（球通路）
１４                金属板（導電性部材）
１６ｂ              外レール（導電性部材）
２５                鉄片（導電性部材）
２６                ＬＥＤ（報知手段）
２７                誘導通路（球通路）
３３                ワープ通路（球通路）
３３ａ，３３ｂ      螺旋状通路（球通路）
３５                通過路（球通路）
３８                誘導路（球通路）
３９                ステンレス板（導電性部材）
４５                金属箔（導電性部材）
４８                ステンレス板（導電性部材）
４９                螺旋軸（導電性部材）
５２                弾性片（導電性部材）
５３                導電性部材
５４                回転体（導電性部材）
５８                金属片（導電性部材）
５９                導電性部材
【図１】
2005349115.tif 000003
【図２】
2005349115.tif 000004
【図３】
2005349115.tif 000005
【図４】
2005349115.tif 000006
【図５】
2005349115.tif 000007
【図６】
2005349115.tif 000008
【図７】
2005349115.tif 000009
【図８】
2005349115.tif 000010
【図９】
2005349115.tif 000011
【図１０】
2005349115.tif 000012
【図１１】
2005349115.tif 000013
【図１２】
2005349115.tif 000014
【図１３】
2005349115.tif 000015
【図１４】
2005349115.tif 000016